(57)【要約】【課題】主剤と硬化剤とを予め混合した混合物を塗布すると、時間の経過とともに粘度が高くなるため、塗布時間に制約が生じ、かつ、塗れ広がりにくくなる。【解決手段】塗布装置１００は、主剤１を貯蔵する第１の貯蔵部１１と、第１の貯蔵部１１に貯蔵されている主剤１を塗布する第１の塗布部１２と、主剤１を硬化させるための硬化剤２を貯蔵する第２の貯蔵部１３と、第２の貯蔵部１３に貯蔵されている硬化剤２を塗布する第２の塗布部１４とを備える。塗布装置１００は、被塗布物に対して、（ａ）第１の塗布部１２によって主剤１を塗布した後、第２の塗布部１４によって硬化剤２を塗布、または、（ｂ）第２の塗布部１４によって硬化剤２を塗布した後、第１の塗布部１２によって主剤１を塗布するように構成されている。【選択図】図１
2019188274.tif 000002
【特許請求の範囲】
【請求項１】
主剤を貯蔵する第１の貯蔵部と、
前記第１の貯蔵部に貯蔵されている前記主剤を塗布する第１の塗布部と、
前記主剤を硬化させるための硬化剤を貯蔵する第２の貯蔵部と、
前記第２の貯蔵部に貯蔵されている前記硬化剤を塗布する第２の塗布部と、
を備え、
被塗布物に対して、（ａ）前記第１の塗布部によって前記主剤を塗布した後、前記第２の塗布部によって前記硬化剤を塗布、または、（ｂ）前記第２の塗布部によって前記硬化剤を塗布した後、前記第１の塗布部によって前記主剤を塗布するように構成されている、
ことを特徴とする塗布装置。
【請求項２】
前記第２の塗布部は、圧縮した気体とともに前記硬化剤を噴出するスプレー機構を有することを特徴とする請求項１に記載の塗布装置。
【請求項３】
前記第２の塗布部が前記硬化剤を噴出するときの圧力は、２０ｋｐａ以上１００ｋｐａ以下であることを特徴とする請求項２に記載の塗布装置。
【請求項４】
前記第１の塗布部は、ディスペンサであることを特徴とする請求項１〜３のいずれかに記載の塗布装置。
【請求項５】
被塗布物の主面に樹脂を塗布する工程と、
前記被塗布物の主面に対応する位置に開口を有するマスクで前記被塗布物を覆う工程と、
前記マスクで覆われ、前記樹脂が塗布された前記被塗布物の主面に、前記樹脂を硬化させるための硬化剤を塗布する工程と、
を備えることを特徴とする塗布方法。
【請求項６】
前記硬化剤を塗布する工程では、圧縮した気体とともに前記硬化剤を噴出することを特徴とする請求項５に記載の塗布方法。
【発明の詳細な説明】
【技術分野】
【０００１】
本発明は、主剤と硬化剤との混合物を塗布する塗布装置、および、樹脂と硬化剤との混合物の塗布方法に関する。
【背景技術】
【０００２】
エポキシ樹脂などのように、硬化剤と混合することによって硬化する性質を有する硬化性材料が知られている。そのような硬化性材料を塗布する方法として、特許文献１には、主剤を構成する樹脂材料と、硬化剤とを所定の割合で混合した混合物を、ディスペンサを用いて塗布する方法が記載されている。
【先行技術文献】
【特許文献】
【０００３】
【特許文献１】特開２００３−２１８５０８号公報
【発明の概要】
【発明が解決しようとする課題】
【０００４】
ここで、特許文献１の塗布方法では、樹脂材料と硬化剤とを予め混合して混合物を作製している。樹脂材料は、硬化剤と混合された直後から時間の経過とともに粘度が高くなるが、粘度が高くなった樹脂材料は、塗れ広がりにくく、広範囲に塗布することが難しいという問題がある。
【０００５】
また、樹脂材料は、硬化剤と混合された直後から硬化が始まるため、樹脂材料と硬化剤との混合物の塗布時間に制約があるという問題もある。
【０００６】
本発明は、上記課題を解決するものであり、主剤と硬化剤との混合物を広範囲に塗布することが可能であり、かつ、塗布時間の制約の少ない塗布装置および塗布方法を提供することを目的とする。
【課題を解決するための手段】
【０００７】
本発明の塗布装置は、
主剤を貯蔵する第１の貯蔵部と、
前記第１の貯蔵部に貯蔵されている前記主剤を塗布する第１の塗布部と、
前記主剤を硬化させるための硬化剤を貯蔵する第２の貯蔵部と、
前記第２の貯蔵部に貯蔵されている前記硬化剤を塗布する第２の塗布部と、
を備え、
被塗布物に対して、（ａ）前記第１の塗布部によって前記主剤を塗布した後、前記第２の塗布部によって前記硬化剤を塗布、または、（ｂ）前記第２の塗布部によって前記硬化剤を塗布した後、前記第１の塗布部によって前記主剤を塗布するように構成されている、
ことを特徴とする。
【０００８】
前記第２の塗布部は、圧縮した気体とともに前記硬化剤を噴出するスプレー機構を有していてもよい。
【０００９】
前記第２の塗布部が前記硬化剤を噴出するときの圧力は、２０ｋｐａ以上１００ｋｐａ以下であってもよい。
【００１０】
前記第１の塗布部は、ディスペンサであってもよい。
【００１１】
本発明の塗布方法は、
被塗布物の主面に樹脂を塗布する工程と、
前記被塗布物の主面に対応する位置に開口を有するマスクで前記被塗布物を覆う工程と、
前記マスクで覆われ、前記樹脂が塗布された前記被塗布物の主面に、前記樹脂を硬化させるための硬化剤を塗布する工程と、
を備えることを特徴とする。
【００１２】
前記硬化剤を塗布する工程では、圧縮した気体とともに前記硬化剤を噴出してもよい。
【発明の効果】
【００１３】
本発明の塗布装置によれば、被塗布物に対して、第１の塗布部によって主剤を塗布した後、第２の塗布部によって硬化剤を塗布、または、第２の塗布部によって硬化剤を塗布した後、第１の塗布部によって主剤を塗布するように構成されているので、主剤と硬化剤とを予め混合しておく必要がない。したがって、被塗布物への塗布前に主剤の粘度が高くなることを抑制することができるので、塗布時間の制約が少なく、かつ、広い範囲に、主剤と硬化剤との混合物を塗布することが可能となる。
【００１４】
本発明の塗布方法によれば、被塗布物の主面に樹脂を塗布した後、硬化剤を塗布するので、塗布前に樹脂の粘度が高くなることを抑制することができる。したがって、塗布時間の制約が少なく、かつ、広い範囲に、樹脂と硬化剤との混合物を塗布することが可能となる。また、被塗布物の主面に対応する位置に開口を有するマスクで被塗布物を覆ってから、樹脂が塗布された被塗布物の主面に硬化剤を塗布するので、不要な部分に硬化剤と混合した樹脂が付着することを抑制することができる。
【図面の簡単な説明】
【００１５】
【図１】一実施形態における塗布装置の構成を示す図である。
【図２】被塗布物の主面に主剤と硬化剤を塗布することによって、保護膜を形成する方法について説明するための図である。
【図３】硬化剤と混合した主剤が塗り広げられる範囲を模式的に示す側面図である。
【発明を実施するための形態】
【００１６】
以下に本発明の実施形態を示して、本発明の特徴とするところを具体的に説明する。
【００１７】
図１は、一実施形態における塗布装置１００の構成を示す図である。一実施形態における塗布装置１００は、主剤１を貯蔵する第１の貯蔵部１１と、主剤１を塗布する第１の塗布部１２と、硬化剤２を貯蔵する第２の貯蔵部１３と、硬化剤２を塗布する第２の塗布部１４とを備える。
【００１８】
主剤１として、例えばシリコン樹脂を用いることができる。ただし、主剤１がシリコン樹脂に限定されることはなく、用途に応じて、エポキシ樹脂など、硬化剤２と混合して硬化する性質を有するものを用いることができる。
【００１９】
硬化剤２は、主剤１を硬化させるためのものであって、主剤１と混合されて使用される。
【００２０】
主剤１と硬化剤２の組合せの一例として、主剤１と硬化剤２がセットになっている、東レ・ダウコーニング株式会社製の「ＳＹＬＧＡＲＤ（登録商標）１８４」を用いることができる。「ＳＹＬＧＡＲＤ（登録商標）１８４」の主剤１の粘度は５Ｐａ・ｓ、硬化剤２の粘度は０．１Ｐａ・ｓであり、主剤：硬化剤＝１０：１の割合で混合して用いることが可能である。
【００２１】
第１の塗布部１２は、第１の貯蔵部１１に貯蔵されている主剤１を被塗布物１５に塗布する。第１の塗布部１２は、例えばディスペンサであって、被塗布物１５の上方から主剤１を吐出するような態様で、主剤１を被塗布物１５に塗布する。被塗布物１５の上方から主剤１を吐出するような態様で、主剤１を塗布することにより、被塗布物１５と非接触で主剤１を塗布することができる。これにより、複数の被塗布物１５に対して連続的に主剤１を塗布する場合に、被塗布物１５の高さ方向にばらつきがある場合でも、安定的に主剤１を塗布することができる。
【００２２】
なお、ディスペンサとして、ジェットディスペンサを用いることもできる。
【００２３】
第２の塗布部１４は、第２の貯蔵部１３に貯蔵されている硬化剤２を被塗布物１５に塗布する。本実施形態では、第２の塗布部１４は、圧縮した気体とともに硬化剤２を噴出するスプレー機構を有する。圧縮した気体は、例えば圧縮空気である。スプレー機構によって硬化剤２を噴出するときの圧力は、例えば２０ｋｐａ以上１００ｋｐａ以下である。
【００２４】
本実施形態では、図１に示すように、被塗布物１５に対して、第１の塗布部１２によって主剤１を塗布した後、主剤１が塗布された被塗布物１５に対して、第２の塗布部１４によって硬化剤２を塗布する。したがって、主剤１と硬化剤２とを混合した混合物を予め作製しておく必要がないので、被塗布物１５への塗布前に主剤１の粘度が高くなることを抑制することができる。これにより、塗布時間の制約が少なくなり、かつ、広い範囲に主剤１と硬化剤２との混合物３を塗り広げることが可能となる。
【００２５】
また、第２の塗布部１４は、スプレー機構によって圧縮した気体とともに硬化剤２を噴出するので、圧縮気体の作用によって硬化剤２が主剤１の内部にまで入り込む。これにより、主剤１と硬化剤２とを効果的に混合させることができ、かつ、主剤１と硬化剤２との混合物３を広い範囲に薄く塗り広げることができる。
【００２６】
また、第２の塗布部１４がスプレー機構によって硬化剤２を噴出するときの圧力を、例えば２０ｋｐａ以上１００ｋｐａ以下とすることにより、主剤１と硬化剤２とを効果的に混合させることができ、かつ、主剤１と硬化剤２との混合物３を効果的に、広い範囲に薄く塗り広げることができる。
【００２７】
ここで、初めに、被塗布物１５に対して、第２の塗布部１４によって硬化剤２を塗布した後、第１の塗布部１２によって主剤１を塗布するようにしてもよい。その場合、第１の塗布部１２は、ジェットディスペンサのように、主剤１を噴出することによって、被塗布物１５に主剤１を塗布する構成であることが好ましい。第１の塗布部１２が主剤１を噴出することにより、主剤１と硬化剤２とを効果的に混合させることができ、かつ、主剤１と硬化剤２との混合物３を広い範囲に薄く塗り広げることが可能となる。
【００２８】
図２は、被塗布物の主面に主剤１と硬化剤２を塗布する方法の一例を説明するための図である。
【００２９】
まず初めに、被塗布物４２を含む構造体４０を用意する（図２（ａ））。
【００３０】
続いて、主剤塗布ユニット５１によって、被塗布物４２の一方主面に、主剤１を塗布する（図２（ｂ））。主剤１は、例えばシリコン樹脂である。主剤塗布ユニット５１は、図１に示す第１の貯蔵部１１と第１の塗布部１２とを備える。
【００３１】
主剤塗布ユニット５１は、図２（ｂ）の矢印の方向に移動しながら、複数の被塗布物４２の一方主面に主剤１を塗布する。なお、主剤塗布ユニット５１は移動せず、フレーム板４１が移動することによって、複数の被塗布物４２の一方主面に主剤１を塗布するようにしてもよい。
【００３２】
続いて、硬化剤塗布ユニット５２によって、被塗布物４２の一方主面に、硬化剤を塗布する（図２（ｃ））。このとき、被塗布物４２以外の部分に主剤が付着しないように、被塗布物４２の主面より少し大きい開口５３ａを有するマスク５３で構造体４０を覆ってから、硬化剤を塗布する。
【００３３】
硬化剤塗布ユニット５２は、図１に示す第２の貯蔵部１３と第２の塗布部１４とを備える。上述したように、第２の塗布部１４はスプレー機構を有しており、圧縮した気体とともに硬化剤を噴出する。これにより、被塗布物４２の一方主面には、主剤１と硬化剤とが混合した混合物３が塗り広げられる。
【００３４】
図３は、主剤と硬化剤とが混合した混合物３が塗り広げられる範囲を模式的に示す側面図である。図３に示すように、主剤が塗布された被塗布物４２の一方主面に硬化剤が噴出されることにより、主剤と硬化剤とが混合され、主剤と硬化剤の混合物３が被塗布物４２の一方主面から側面の一部に回り込むように塗り広げられる。
【００３５】
硬化剤塗布ユニット５２は、図２（ｃ）の矢印の方向に移動しながら、複数の被塗布物４２の一方主面に向けて硬化剤を噴出する。なお、硬化剤塗布ユニット５２は移動せず、フレーム板４１が移動するようにしてもよい。どちらの方法でも、複数の被塗布物４２に対して連続的に効率よく、主剤と硬化剤との混合物３を塗布することができる。また、複数の被塗布物４２の一方主面以外の部分がマスク５３で覆われているので、不要な部分に、主剤と硬化剤との混合物３が付着することを抑制することができる。
【００３６】
続いて、カメラユニット５４によって、被塗布物４２の一方主面を撮像し、撮像画像に基づいて、主剤と硬化剤との混合物３の塗布状態を確認する（図２（ｄ））。カメラユニット５４は、図２（ｄ）の矢印の方向に移動しながら、全ての被塗布物４２の一方主面における混合物３の塗布状体を確認する。なお、カメラユニット５４は移動せず、フレーム板４１が移動するようにしてもよい。
【００３７】
構造体４０を上下反対にして上述した工程を再び行うことにより、被塗布物４２の他方主面にも、主剤と硬化剤との混合物を塗り広げる。これにより、被塗布物４２の一方主面および他方主面に保護膜が形成される。
【００３８】
本発明は、上記実施形態に限定されるものではなく、本発明の範囲内において、種々の応用、変形を加えることが可能である。
【００３９】
上述した主剤１と硬化剤２の塗布工程では、主剤塗布ユニット５１によって、被塗布物４２の一方主面に主剤１を塗布した後、硬化剤塗布ユニット５２によって、硬化剤を塗布するものとして説明したが、硬化剤塗布ユニット５２によって硬化剤を塗布した後、主剤塗布ユニット５１によって主剤１を塗布するようにしてもよい。その場合、主剤塗布ユニット５１は、主剤１を噴出することによって、主剤１を塗布する構成であることが好ましい。
【符号の説明】
【００４０】
１      主剤
２      硬化剤
３      主剤と硬化剤との混合物
１１    第１の貯蔵部
１２    第１の塗布部
１３    第２の貯蔵部
１４    第２の塗布部
４０    構造体
４１    フレーム板
４２    被塗布物
５１    主剤塗布ユニット
５２    硬化剤塗布ユニット
５３    マスク
５４    カメラユニット
１００  塗布装置
【図１】
2019188274.tif 000003
【図２】
2019188274.tif 000004
【図３】
2019188274.tif 000005